(57)【特許請求の範囲】
【請求項１】
警戒区域に設置した火災感知器を含む火災報知機器からの火災信号を受信して警報する火災警報機能と、当該火災警報機能に関する所定の障害を検出して、障害代表表示及び障害音響警報により警報する障害警報機能を備えた火災報知設備の火災受信機であって、
外部から、前記火災報知設備以外の設備機器の状態を示す所定の表示信号を入力する諸表示入力部と、
前記諸表示入力部に対応して設けた表示灯と、
前記諸表示入力部により前記表示信号の入力を検出した場合に、前記表示灯の作動と前記障害警報機能を組み合わせた、前記設備機器の状態を示す所定の諸表示入力警報を出力する制御を行う制御部と、
を設けたことを特徴とする火災受信機。
【請求項２】
請求項１記載の火災受信機に於いて、
前記制御部は、
前記表示灯の点灯、点滅又は明滅と、前記障害警報機能による障害代表表示、障害音響警報又は障害代表移報の少なくとも何れか１つとの組合せから成る制御情報を予め記憶し、
前記諸表示入力部による前記表示信号の入力を検出した場合に、前記制御情報に基づいて前記表示灯の作動と前記障害警報機能を組み合わせた前記諸表示入力警報を出力することを特徴とする火災受信機。
【請求項３】
請求項１記載の火災受信機に於いて、
前記表示灯は、異なる２色を選択表示する２色表示灯であり、
前記制御部は、
前記諸表示入力部による前記表示信号の入力検出無しに対応して前記２色表示灯を一方の表示色により点灯、点滅または明滅する第１制御情報を予め記憶すると共に、前記諸表示入力部による前記表示信号の入力検出有りに対応して、前記２色表示灯の他方の表示色による点灯、点滅又は明滅と前記障害警報機能による障害代表表示、障害音響警報又は障害代表移報の少なくとも何れか１つとの組合せから成る第２制御情報を予め記憶し、
前記諸表示入力部により前記表示信号の入力を検出していない場合に、前記第１制御情報に基づき前記２色表示灯を作動し、前記諸表示入力部により前記表示信号の入力を検出した場合に、前記第２制御情報に基づいて前記２色表示灯の作動と前記障害警報機能を組み合わせた前記諸表示入力警報を出力することを特徴とする火災受信機。
【発明の詳細な説明】
【技術分野】
【０００１】
本発明は、火災感知器からの火災信号を受信して警報する火災受信機に関する。
【背景技術】
【０００２】
従来、火災報知設備に設けられた例えばＰ型の火災受信機にあっては、火災受信機から引き出された回線に発信機や火災感知器を接続して回線単位に火災を監視しており、火災が発生した場合には、音響や表示灯によって管理人等の建物関係者に警報を出すようにしている。
【０００３】
また、火災受信機は、感知器外れ障害、回線断線障害、ヒューズ切れ障害等の様々な障害を監視しており、障害を検出した場合には障害代表灯を点灯して障害音響警報を出力し、更に、受信機盤面の扉内に設けた障害表示中灯を点灯すると共に７セグメント表示器にエラーコードを表示して障害内容が分かるようにしている。
【０００４】
更に、火災受信機には、火災報知設備に関連した防災設備、例えば消火設備に設けているポンプの異常や水源水槽の水位低下等の異常を示す信号を入力して表示灯に表示する諸表示入力機能を設けており、これに対応した諸表示入力部を設けている。
【０００５】
諸表示入力部に外部から入力する表示信号は、リレーやセンサの作動により接点をオンして出力する所定の直流電圧又は交流電圧となる有電圧信号、又は接点のオンにより出力する接点信号として知られた無電圧信号であり、火災受信機の制御部は、諸表示入力部による外部からの有電圧信号又は無電圧信号の入力検出を判別すると、対応する表示灯を点灯して諸表示入力警報を出力する制御を行っている。
【先行技術文献】
【特許文献】
【０００６】
【特許文献１】特開２００９−０８７１１１号公報
【特許文献２】特開平６−１７６２８９号公報
【特許文献３】特開２００２−１０９６５１号公報
【発明の概要】
【発明が解決しようとする課題】
【０００７】
しかしながら、このような従来の火災受信機に設けた諸表示入力機能にあっては、諸表示入力の対象が火災報知設備以外の設備や機器の状態を示す補助的で付属的な情報であることから、諸表示入力部により外部からの表示信号の入力を検出した場合に表示灯を点灯するといった単純な諸表示入力警報を行っているだけであり、例えば、火災警報中に、屋内消火栓設備やスプリンクラー消火設備でポンプ障害が発生して表示灯が点灯しても、この表示灯による警報表示に気づかないか、気づくまでに時間がかかる場合があり、諸表示入力警報が出された場合の対処に時間がかかる可能性が残る。
【０００８】
本発明は、外部からの表示信号の入力検出に対する諸表示入力警報の強化により注意を喚起して迅速且つ適切な対処を可能とする火災受信機を提供することを目的とする。
【課題を解決するための手段】
【０００９】
（火災受信機）
本発明は、警戒区域に設置した火災感知器を含む火災報知機器からの火災信号を受信して警報する火災警報機能と、当該火災警報機能に関する所定の障害を検出して、障害代表表示及び障害音響警報により警報する障害警報機能を備えた火災報知設備の火災受信機であって、
外部から、火災報知設備以外の設備機器の状態を示す所定の表示信号を入力する諸表示入力部と、
諸表示入力部に対応して設けた表示灯と、
諸表示入力部により表示信号の入力を検出した場合に、表示灯の作動と障害警報機能を組み合わせた、設備機器の状態を示す所定の諸表示入力警報を出力する制御を行う制御部と、
を設けたことを特徴とする。
【００１０】
（表示灯の作動と障害警報機能の組合せ）
制御部は、
表示灯の点灯、点滅又は明滅と、障害警報機能による障害代表表示、障害音響警報又は障害代表移報の少なくとも何れか１つとの組合せから成る制御情報を予め記憶し、
諸表示入力部による表示信号の入力を検出した場合に、制御情報に基づいて表示灯の作動と障害警報機能を組み合わせた諸表示入力警報を出力する。
【００１１】
（２色表示灯による諸表示入力警報）
表示灯は、異なる２色を選択表示する２色表示灯であり、
制御部は、
諸表示入力部による表示信号の入力検出無しに対応して２色表示灯を一方の表示色により点灯、点滅または明滅する第１制御情報を予め記憶すると共に、諸表示入力部による表示信号の入力検出有りに対応して、２色表示灯の他方の表示色による点灯、点滅又は明滅と障害警報機能による障害代表表示、障害音響警報又は障害代表移報の少なくとも何れか１つとの組合せから成る第２制御情報を予め記憶し、
諸表示入力部により表示信号の入力を検出していない場合に、第１制御情報に基づき２色表示灯を作動し、諸表示入力部により表示信号の入力を検出した場合に、第２制御情報に基づいて２色表示灯の作動と障害警報機能を組み合わせた諸表示入力警報を出力する。
【発明の効果】
【００１２】
（基本的な効果）
本発明は、警戒区域に設置した火災感知器からの火災信号を受信して警報する火災警報機能と所定の障害を検出して警報する障害警報機能を設けた火災受信機に於いて、外部から所定の表示信号を入力する諸表示入力部と、諸表示入力部に対応して設けた表示灯と、諸表示入力部により表示信号の入力を検出した場合に、表示灯の作動と障害警報機能を組み合わせた諸表示入力警報を出力する制御を行う制御部とを設けるようにしたため、諸表示入力部に対する外部設備又は外部機器から障害検出信号や警報検出信号等の表示信号の入力を検出した場合、表示灯の作動に加え、火災受信機に設けている障害警報機能を組み合わせた諸表示入力警報を行うことで、火災報知設備以外からの表示信号の入力に対する警報機能が強化されて注意を喚起し、諸表示入力に対し迅速且つ適切に対処することを可能とする。
【００１３】
（表示灯の作動と障害警報機能の組合せによる効果）
また、制御部は、表示灯の点灯、点滅又は明滅と、障害警報機能による障害代表表示、障害音響警報又は障害代表移報の少なくとも何れか１つとの組合せから成る制御情報を予め記憶し、諸表示入力部による表示信号の入力を検出した場合に、制御情報に基づいて表示灯の作動と障害警報機能を組み合わせた諸表示入力警報を出力するようにしたため、単に表示灯を点灯するにとどまらず、必要に応じて点滅或いは明滅することで、諸表示入力警報の報知機能を高めることを可能とする。
【００１４】
また、諸表示入力に対し表示灯の作動に加えて、火災受信機の障害警報機能における障害代表表示、障害音響警報又は障害代表移報を加えた諸表示入力警報が出力され、火災報知設備以外からの表示信号の入力検出に対し、火災受信機による障害警報機能と同等に強化された諸表示入力警報により注意を強く喚起し、火災受信機を備えた火災報知設備に関連する消火設備等で発生した障害や異常に対しを迅速且つ適切に対処することを可能とする。
【００１５】
（２色表示灯による諸表示入力警報の効果）
また、表示灯は、異なる２色を選択表示する２色表示灯であり、制御部は、諸表示入力部による表示信号の入力検出無しに対応して２色表示灯を一方の表示色により点灯、点滅または明滅する第１制御情報を予め記憶すると共に、諸表示入力部による表示信号の入力検出有りに対応して、２色表示灯の他方の表示色による点灯、点滅又は明滅と障害警報機能による障害代表表示、障害音響警報又は障害代表移報の少なくとも何れか１つとの組合せから成る第２制御情報を予め記憶し、諸表示入力部により表示信号の入力を検出していない場合に、第１制御情報に基づき２色表示灯を作動し、諸表示入力部により表示信号の入力を検出した場合に、第２制御情報に基づいて２色表示灯の作動と障害警報機能を組み合わせた諸表示入力警報を出力するようにしたため、諸表示入力の検出に対し例えば赤と緑の２色表示灯を赤色表示で且つ点滅又は明滅し、更に、障害警報機能を組み合わせることで、火災報知設備以外からの表示信号の入力検出に対し、注意を更に強く喚起する諸表示入力警報を出力することを可能とする。
【００１６】
また、諸表示に入力がない場合には、例えば２色表示灯を緑色の点灯表示とすることで、諸入力表示の対象となっている外部設備や外部機器が正常な状態にあること等を報知可能とする。
【図面の簡単な説明】
【００１７】
【図１】諸表示機能を備えた火災受信機を示した説明図
【図２】火災受信機の表示部を取り出し拡大して示した説明図
【図３】火災受信機の機能構成の概略を示した説明図
【図４】諸表示入力警報を行うための制御情報を記憶した諸表示制御テーブルを示した説明図
【図５】２色表示灯を設けた場合の諸表示入力警報を行うための制御情報を記憶した諸表示制御テーブルを示した説明図
【発明を実施するための形態】
【００１８】
［火災受信機］
図１は火災報知設備に設けるＰ型の火災受信機を示した説明図であり、図２に盤面の表示部を取り出し拡大して示している。
【００１９】
図１に示すＰ型の火災受信機１０は建物の防災センタや管理人室等に設置され、火災感知器を信号回線により接続して火災を監視しており、また、制御回線に防火戸等を接続している。
【００２０】
火災受信機１０の筐体前面に配置した扉パネルには、表示部１２、操作部１４及び音響孔１５を配置しており、操作部１４の下側には開閉自在な子扉１６を設け、必要に応じて下側に開いて扉内のスイッチを操作可能としている。
【００２１】
表示部１２には、火災代表灯２０と防排煙代表灯２２を配置し、その下の２列の表示灯の内の１列目に交流電源灯２６、予備電源灯２８、スイッチ注意灯３０を配置し、２列目にスイッチ操作無効中灯３２、障害代表灯３４、蓄積中灯３６、発信機灯３８、非常放送中灯４０及び地区音響完全停止中灯４２を配置している。
【００２２】
更に表示灯の１列目の右側には３つの諸表示灯４４，４６，４８を配置している。ここで、諸表示灯４４，４６，４８の名称は空きとなっているが、諸表示入力の対象となる外部設備や外部機器が決まった場合に、その表示信号に対応した名称を入れる。
【００２３】
操作部１４の子扉１６の上側には、音響停止スイッチ、火災断定スイッチ、地区音響一時停止スイッチ等を設けている。
【００２４】
操作部１４の下側の子扉１６の内側には、復旧スイッチ、一括連動移報スイッチ、一括鳴動スイッチ、主音響停止スイッチ、障害音響停止スイッチ、障害表示中灯、７セグメント表示器等を設けている。なお、表示部１２の表示灯と操作部１４のスイッチは一例であり、必要に応じて適宜の表示灯やスイッチが設けられる。
【００２５】
［火災報知設備］
図３は火災報知設備に設けたＰ型の火災受信機の機能構成の概略を示した説明図である。図３に示すように、火災受信機１０から監視領域に対し火報回線５６、制御回線６４、更に図示しない防排煙回線や警報回線を引き出している。火報回線５６には、火災感知器５８や発信機６０等を接続している。制御回線６４は防火戸６６を接続している。防火戸６６は自動開放装置（ラッチレリーズ装置）により閉鎖位置に保持されており、制御回線６４は防火戸６６の自動開放装置を接続している。更に、図示しない防排煙回線には防排煙用感知器を接続している。
【００２６】
火災受信機１０は、制御部５２を備え、制御部５２は、ＣＰＵ、メモリ、各種の入出力ポートを備えたコンピュータ回路で構成している。制御部５２に対しては、回線受信部５４、回線制御部６２、表示部１２、操作部１４、警報部７２、移報部７４、及び４つの諸表示入力部７６，７８，８０を設けている。
【００２７】
回線受信部５４は火報回線５６に接続した火災感知器５８に直流電源を供給して動作させると共に、火災感知器５８が火災を検知して動作した場合に流れる発報電流を火災信号として受信する。また、回線受信部５４は、発信機６０を操作した場合に流れる発報電流とは異なる値の電流を発信信号として受信する。
【００２８】
回線制御部６２は防火戸６６に制御信号を出力し、防火戸６６の閉鎖状態でのラッチを解除して開放動作させるようにしている。
【００２９】
表示部１２には、図２に示したように、地区表示灯１８、火災代表灯２０、防排煙代表灯２２、障害代表灯３２等を設け、更に、諸表示灯４４，４６，４８，５０を設けている。
【００３０】
操作部１４には、音響停止スイッチ、火災断定スイッチ、地区音響一時停止スイッチ、
復旧スイッチ等を設けている。警報部７２には音響警報や音声案内を行うスピーカやブザー等を設けている。移報部７４には、外部接続する例えば表示盤等に、無電圧信号として代表移報信号や回線移報信号を出力するリレー接点を用いた移報回路を設けている。
【００３１】
火災受信機１０の制御部５２は、回線受信部５４から火災感知器５８の火災発報による火災信号の受信出力を検出すると、表示部１２により火災代表表示を行うと共に地区表示を行い、また、警報部７２により主音響を鳴動させる火災警報制御を行う。
【００３２】
また、火災受信機１０の制御部５２は、感知器外れ障害、回線断線障害、ヒューズ切れ障害等の様々な障害を監視しており、障害を検出した場合には表示部１２により障害代表を行うと共に警報部７２により障害音響警報を出力する障害警報制御を行う。
【００３３】
諸表示入力部７６，７８，８０は、外部からの表示信号となる無電圧信号又は有電圧信号の入力を検出して制御部５２に出力し、表示部１２に設けた諸表示灯４４，４６，４８の中の対応する表示灯を点灯又は点滅させると共に、火災受信機１０に設けた障害警報機能と組み合わせた諸表示入力警報を出力させる。
【００３４】
本実施形態にあっては、諸表示入力部７６，７８，８０に諸表示信号を入力する設備機器として、ポンプ障害検出部８４、呼水槽減水検出部８６及び空調設備状態検出部８８からの信号線を接続した場合を例にとっている。
【００３５】
ポンプ障害検出部８４、呼水槽減水検出部８６は、火災報知設備と同じ施設に設置している屋内消火栓設備、スプリンクラー消火設備等に設けた消火ポンプ、呼水槽、貯水槽に対応して設けている。
【００３６】
このため、ポンプ障害検出部８４は消火ポンプの起動時又は運転中にポンプ障害を検出した場合にポンプ障害検出信号を出力する。また、呼水槽減水検出部８６は消火ポンプに呼び水を供給している呼水槽の水位低下による減水を検出して減水警報検出信号を出力する。
【００３７】
更に、空調設備状態検出部８８は、火災報知設備と同じ施設に設けている空調設備の運転状態の有無を検出した状態信号を出力する。空調設備と火災との関係は、火災が発生した場合に空調設備を運転していると、火災発生場所に新鮮な空気を供給して火災を拡大させる要因となる場合があることから、火災受信機で空調設備の状態を諸表示入力の１つとして警報する必要がある。
【００３８】
（火災受信機の諸表示入力に対する制御）
図３の火災受信機１０に設けた制御部５２は、諸表示入力部７６，７８，８０の何れかによる諸表示入力信号の入力を検出した場合に、図２に示した諸表示灯４４，４６，４８の作動と火災受信機１０に設けた障害警報機能を組み合わせた諸表示入力警報を出力する制御を行う。
【００３９】
このため制御部５２は、諸表示灯４４，４６，４８の点灯又は点滅（又は明滅）と、火災受信機１０に設けた障害警報機能による障害代表表示、障害音響警報又は代表移報の少なくとも何れか１つとの組合せから成る制御情報を予めメモリに記憶しており、諸表示入力部７６，７８，８０の何れかによる諸表示入力信号の入力を検出した場合に、メモリに記憶している制御情報に基づいて諸表示灯４４，４６，４８の作動と障害警報機能を組み合わせた諸表示入力警報を出力する制御を行う。
【００４０】
図４は制御部のメモリに諸表示入力警報を行うために記憶した制御情報としての制御テーブルを示した説明図である。
【００４１】
図４に示すように、諸表示制御テーブルには、諸表示入力部７６，７８，８０に対応した項番１〜３に分けて、諸表示入力、表示種別、表示モード、障害代表表示、障害音響警報及び障害代表移報を制御情報として設定している。なお、諸表示制御テーブルの項番１〜３はメモリのアドレスに相当する。
【００４２】
諸表示制御テーブルの項番１には、図３のポンプ障害検出部８４を接続した諸表示入力部７６に対応して、諸表示入力としてポンプ障害を設定し、表示種別として障害を設定し、表示モードとして点滅を設定し、障害代表表示として有りを設定し、障害音響警報として有りを設定し、更に、障害代表移報として無しを設定している。
【００４３】
このため火災受信機１０の制御部５２は、ポンプ障害検出部８４から出力されたポンプ障害検出信号の諸表示入力部７６に対する入力を検出すると、図４の諸表示制御テーブルの項番１の制御情報に基づき、図２の表示部１２に設けた対応する諸表示灯４４を点滅すると共に、障害代表灯３２を点灯し、警報部７２により所定の障害警報音を出力させ、更に移報部７４に指示して障害代表移報を行うことにより諸表示入力警報を出力する制御を行う。
【００４４】
また、諸表示制御テーブルの項番２には、図３の呼水槽減水検出部８６を接続した諸表示入力部７８に対応して、諸表示入力として呼水槽減水を設定し、表示種別として警報を設定し、表示モードとして点滅を設定し、障害代表表示として有りを設定し、障害音響警報として有りを設定し、更に、障害代表移報として有りを設定している。
【００４５】
このため火災受信機１０の制御部５２は、呼水槽減水検出器８６から出力された減水検出信号の諸表示入力部７８に対する入力を検出すると、図４の諸表示制御テーブルの項番２の制御情報に基づき、図２の表示部１２に設けた対応する諸表示灯４６を点滅すると共に、障害代表灯３２を点灯し、警報部７２により所定の障害警報音を出力させ、更に、移報部７４に指示して障害代表移報を行うことにより諸表示入力警報を出力する制御を行う。
【００４６】
また、諸表示制御テーブルの項番３には、例えば、図３の空調設備状態検出部８８を接続した諸表示入力部８０に対応して、諸表示入力として空調設備状態を設定し、表示種別として運転と火災をＡＮＤ設定し、表示モードとして点灯を設定し、障害代表表示は有りを設定し、障害音響警報と障害代表移報は無しを設定している。
【００４７】
この場合、火災受信機１０の制御部５２は、空調設備状態検出部８８からの運転検出信号の諸表示入力部８０に対する入力検出及び火災検出の両方を判別すると、図４の諸表示制御テーブルの項番３の制御情報に基づき、図２の表示部１２に設けた対応する諸表示灯４８を点滅すると共に、障害代表灯３２を点灯し、火災警報を行っている状態で空調設備が運転状態にあることを示す諸表示入力警報を出力する制御を行い、これにより空調設備の運転停止等の対処を可能とする。
【００４８】
［２色表示灯を用いた諸表示入力に対する制御］
図２に示した諸表示灯４４，４６，４８として、例えば赤色ＬＥＤと緑色ＬＥＤを備えた２色表示灯を設けることができる。このように諸表示灯４４，４６，４８として２色表示灯を設けた場合、火災受信機１０に設けた制御部５２は、諸表示入力部７６，７８，８０による表示信号の入力検出無しに対応して２色表示灯を一方の表示色である緑色に点灯、点滅または明滅する第１制御情報を予め記憶すると共に、諸表示入力部７６，７８，８０による表示信号の入力検出有りに対応して、２色表示灯の他方の表示色である赤色による点灯、点滅又は明滅と火災受信機１０の障害警報機能による障害代表表示、障害音響警報又は代表移報の少なくとも何れか１つとの組合せから成る第２制御情報を予め記憶し、諸表示入力部７６，７８，８０により表示信号の入力を検出していない場合に、第１制御情報に基づき２色表示灯を作動し、諸表示入力部７６，７８，８０により表示信号の入力を検出した場合に、第２制御情報に基づいて２色表示灯の作動と障害警報機能を組み合わせた諸表示入力警報を出力する制御を行う。
【００４９】
図５は２色表示灯を設けた場合の制御部のメモリに諸表示入力警報を行うために記憶した制御情報としての制御テーブルを示した説明図である。
【００５０】
図５に示すように、諸表示制御テーブルは、諸表示入力部７６，７８，８０に対応した項番１〜３に分けて、図４の場合と同様、諸表示入力、表示種別、表示モード、障害代表表示、障害音響警報及び障害代表移報を設定しているが、２色表示灯を設けたことに伴い、表示色を追加設定している。
【００５１】
また、項番１，２の設備機器に対する諸表示入力については、入力無しの非検知と入力有りの検知の２つに分けて設定しており、入力無しの非検知に対応した制御情報が第１制御情報となり、入力有りの検知に対応した制御情報が第２制御情報となる。なお、以下の説明では第１制御情報と第２制御情報は、これ区別することなく制御情報として説明する。
【００５２】
例えば諸表示制御テーブルの項番１の消火ポンプの場合、ポンプ障害検出信号の入力無しについては障害非検知を設定し、ポンプ障害検出信号の入力有りについては障害検知を設定している。この内、障害非検知の設定に対応して、表示種別は正常に設定し、表示モードは点灯を設定し、表示色は緑を設定し、障害代表表示、障害音響警報及び障害代表移報はそれぞれ無しを設定している。
【００５３】
一方、障害検知については、表示種別は障害を設定し、表示モードは点滅を設定し、表示色は赤を設定し、障害代表表示、障害音響警報及び障害代表移報はそれぞれ有りを設定している。
【００５４】
このため火災受信機１０の制御部５２は、例えば図３に示したポンプ障害検出部８４からポンプ障害検出信号が出力されずに諸表示入力部７６からの入力検出信号無しを検出すると、図５の諸表示制御テーブルの項番１の制御情報に基づき、図２の表示部１２に設けた対応する諸表示灯４４を緑色に点灯する制御を行い、消火ポンプが正常であることを報知する。
【００５５】
また、火災受信機１０の制御部５２は、ポンプ障害検出部８４から出力されたポンプ障害検出信号の諸表示入力部７６に対する入力を検出すると、図５の諸表示制御テーブルの項番１の制御情報に基づき、図２の表示部１２に設けた対応する諸表示灯４４を赤色で点滅すると共に、障害代表灯３２を点灯し、警報部７２により所定の障害警報音を出力させ、更に移報部７４に指示して障害代表移報を行うことにより諸表示入力警報を出力する制御を行う。
【００５６】
この点は、項番２の呼水槽についても、基本的に同じ制御情報の設定と諸表示入力警報の出力となる。
【００５７】
一方、項番３の空調設備の諸表示入力については、運転と火災のＡＮＤ設定と、停止と火災のＡＮＤ設定とに分けている。この内、運転と火災のＡＮＤ設定に対応して、表示種別は警報に設定し、表示モードは点滅を設定し、表示色は赤を設定し、障害代表表示は有りを設定し、障害音響警報及び障害代表移報は無しを設定している。
【００５８】
また、停止と火災のＡＮＤ設定に対応して、表示種別は正常に設定し、表示モードは点灯を設定し、表示色は緑を設定し、障害代表表示、障害音響警報及び障害代表移報はそれぞれ無しを設定している。
【００５９】
このため、火災受信機１０の制御部５２は、図３に示した空調設備状態検出部８８からの運転検出信号の諸表示入力部８０に対する入力検出と火災検出の両方を判別すると、図５の諸表示制御テーブルの項番３の制御情報に基づき、図２の表示部１２に設けた対応する諸表示灯４８を赤色で点滅すると共に障害代表灯３２を点灯することにより、空調設備が運転状態にあることを示す諸表示入力警報を出力する制御を行い、これにより空調設備の運転停止等の対処を可能とする。
【００６０】
一方、火災受信機１０の制御部５２は、図３に示した空調設備状態検出部８８から運転検出信号が出力されずに諸表示入力部８０の入力検出無し及び又は火災検出無しを判別すると、図５の諸表示制御テーブルの項番３の制御情報に基づき、図２の表示部１２に設けた対応する諸表示灯４８を緑に点灯する制御を行い、これにより空調設備が停止中で火災に影響を及ぼさない安全な状態にあることを報知可能とする。
【００６１】
このように諸表示灯に２色表示灯を用いることで、諸表示の対象となっている設備機器の状態を、より詳細に火災受信機に表示することを可能とし、運用中及び火災が発生した場合の関連する設備の状況を火災受信機で迅速且つ確実に判別して必要な対処を行うことを可能とする。
【００６２】
なお、本実施形態では、赤色ＬＥＤと緑色ＬＥＤを備えた２色表示灯を使用しているが、この表示色は必要に応じて適宜の２色を設定するようにしても良い。
【００６３】
また、本実施形態で使用する２色表示灯は、赤色ＬＥＤと緑色ＬＥＤを備え、それぞれを個別に作動することで、赤色または緑色の表示色としているが、赤色ＬＥＤと緑色ＬＥＤを同時に作動することで橙色の表示色とすることができ、このため赤色、緑色、橙色となる３色の中から選択設定して表示するようにしても良い。
【００６４】
［本発明の変形例］
上記の実施形態は、Ｐ型火災報知設備の火災受信機に設けた諸表示入力部を例にとっているが、火災感知器にアドレスを設定して火災を監視するＲ型火災報知設備に設けた火災受信機の諸表示入力部についても同様となる。
【００６５】
また、上記の実施形態は、諸表示灯を点灯又は点滅させる場合を例にとっているが、諸表示灯を明滅させるようにしても良い。
【００６６】
また、上記の実施形態は火災を監視する火災報知設備を例にとるものであったが、火災以外にガス漏れや盗難などの適宜の異常を検知して警報する防災設備の監視盤の諸表示入力についても同様に適用できる。
【００６７】
また、上記の実施形態に示した諸表示入力の対象となる設備機器は一例であり、必要に応じて適宜の設備機器からの信号を諸表示入力して表示するようにしても良い。
【００６８】
また、本発明は上記の実施形態に限定されず、その目的と利点を損なうことのない適宜の変形を含み、更に上記の実施形態に示した数値による限定は受けない。
【符号の説明】
【００６９】
１０：火災受信機
１２：表示部
１４：操作部
１５：音響孔
１６：子扉
１８：地区表示灯
２０：火災代表灯
２２：防排煙代表灯
３２：障害代表灯
４４，４６，４８：諸表示灯
５２：制御部
５４：回線受信部
５６：火報回線
５８：火災感知器
６０：発信機
７２：警報部
７４：移報部
７６，７８，８０：諸表示入力部
８４：ポンプ障害検出部
８６：呼水槽減水検出部
８８：空調設備状態検出部
【図１】
0006499524.tif 000002
【図２】
0006499524.tif 000003
【図３】
0006499524.tif 000004
【図４】
0006499524.tif 000005
【図５】
0006499524.tif 000006